(57)【特許請求の範囲】
【請求項１】
外科コンソールのカセット受け部、
前記カセット受け部内に受けられように構成されかつ流体通路を備えたカセット、ならびに
前記カセット受け部内に取り付けられた流体マニホールドを含む眼科外科システムであって、
前記流体マニホールドは、
本体と前記本体上に形成された取り付け面を含む主マニホールド、
前記取り付け面上に取り付けられた注入マニホールド、
前記取り付け面上に取り付けられた吸引マニホールド、ならびに
前記取り付け面上に取り付けられる弁マニホールドを含み、
前記主マニホールドは前記カセットと流体により連絡するように構成され、
前記注入マニホールドおよび前記吸引マニホールドは前記主マニホールドを介して前記カセットと流体により連絡する作用をし、
前記弁マニホールドは、前記主マニホールドを介した前記カセットと前記注入マニホールドおよび前記吸引マニホールドとの間の流体による連絡を制御する作用をする、眼科外科システム。
【請求項２】
外科コンソールのカセット受け部内に取り付けられるように構成された眼科外科システムであって、
前記眼科外科システムは前記カセット受け部内に取り付けられるように構成された流体マニホールドを含み、
前記流体マニホールドは、
本体と前記本体上に形成された取り付け面を含む主マニホールド、
前記取り付け面上に取り付けられた注入マニホールド、
前記取り付け面上に取り付けられた吸引マニホールド、および
前記取り付け面上に取り付けられる弁マニホールドを含み、
前記主マニホールドは前記カセット受け部内に受けられかつ流体通路を備えたカセットと流体により連絡するように構成され、
前記注入マニホールドおよび前記吸引マニホールドは前記主マニホールドを介して前記カセットと流体により連絡する作用をし、
前記弁マニホールドは、前記主マニホールドを介した前記カセットと前記注入マニホールドおよび前記吸引マニホールドとの間の流体による連絡を制御する作用をする、眼科外科システム。
【請求項３】
前記吸引マニホールドおよび／または前記注入マニホールド上に取り付けられた少なくとも一つのアクティブ埋設装置を更に含む、請求項１または２の外科システム。
【請求項４】
前記吸引マニホールドおよび／または前記注入マニホールドおよび／または前記弁マニホールド上に取り付けられた少なくとも一つのアクティブ埋設装置を更に含む、請求項１または２の外科システム。
【請求項５】
前記吸引マニホールドおよび／または前記注入マニホールドおよび／または前記弁マニホールドおよび／または前記主マニホールド上に取り付けられた少なくとも一つのアクティブ埋設装置を更に含む、請求項１または２の外科システム。
【発明の詳細な説明】
【技術分野】
【０００１】
本発明は概ね外科システム、更に具体的には空気装置を制御する外科システムに関する。
【背景技術】
【０００２】
多くのマイクロ外科処置は種々の身体組織の精確な切断および／または除去を必要とする。例えば、ある眼科外科処置は、目の後区を充填している液体様硝子質、透明ゼリー状物質の切断および／または除去を必要とする。液体様硝子質、または硝子質は、網膜にしばしば付着する数々の微視的繊維で構成されている。従って、硝子質の切断と除去は網膜上への牽引、脈略膜からの網膜の分離、網膜断裂、最悪の場合には網膜それ自体の切断および除去を回避するために大きな注意が必要である。
【０００３】
従来硝子体切除消息子は、代表例として中空外切断部材、中空外切断部材内に同軸配置かつ移動自在に設置された中空内切断部材、および先端近くで外切断部材へ半径方向に延在するポートを含む。液体様硝子質は開放ポートへ吸引され、かつ内部材が作動して開放ポートを閉鎖する。ポートの閉鎖により、内外切断部材上の切断面は共働して硝子質を切断し、かつ切断された硝子質は内切断部材を介して吸引される。この切断作業は、電気カッタを使用してよいが、相対的に高い圧力で作動する空気駆動消息子が更に一般的である。
【０００４】
更に、典型的眼科処置時に、空気は後室へ導入される。この空気は相対的に低い圧力である。
【０００５】
従来眼科外科器具装置は、外科部位を吸引するために真空を使用し、かつ外科部位を洗浄するために正圧を使用する。典型的には、圧力を発生させる手段と外科器具との間にカセットが連続的に連結される。外科器具へのカセットの使用は、外科部位での洗浄流および吸引流を管理するのに役立つことが周知である。吸引流体流量、真空レベル、洗浄流圧、および洗浄流量は眼科手術時に精確に制御する必要のあるパラメタの幾つかである。吸引器具に関し、空気圧は大気圧未満であり、かつ流体は外科部位から除去される。洗浄器具に関し、空気圧は大気圧よりも高く、かつ流体は洗浄流体受器から手術部位へ運ばれる。
【０００６】
従来技術による外科装置は、各サブシステムのために個別マニホールドを使用することにより手術時に必要な種々の空気圧を制御している。例えば、吸引サブシステムは、代表例として、必要とされるところで真空を送るために必要な種々の空気通路を有するマニホールドを含むが、ベンチュリポンプ等の吸引ポンプは吸引マニホールドから遠隔に取り付けられている。このタイプの構造は種々のサブシステムを気送管を介して連結し、配管を必要とされるバルブおよび”Ｔ”で遮断することを必要とした。この種の構造は、組立コストを高くし、システムの全体的寸法を大きくし、かつ信頼性に悪影響を与える。
【０００７】
従って、単純構造の外科システムに対するニーズが引き続き存在している。
【発明の開示】
【発明が解決しようとする課題】
【０００８】
本発明は、共通マニホールド上に一体的に取り付けられる種々の空気制御サブシステムのすべてを有する外科システムを提供することにより従来技術を改良することを課題とする。弁等の必要とされる種々の制御機構が共通マニホールドに一体的に取り付けられる。
【０００９】
本発明の一つの課題は、一体化された空気サブシステムを有する外科システムを提供することにある。
【００１０】
本発明のもう一つの課題は、共通マニホールド上に取り付けられた空気サブシステムを有する外科システムを提供することにある。
【００１１】
本発明の更に他の課題は、空気外科装置を制御するための外科システムを提供することにある。
【００１２】
本発明の上述および他の課題および利点は、続く説明、添付図面、および特許請求の範囲から理解されるであろう。
【課題を解決するための手段】
【００１３】
上記課題を解決するための本発明による眼科外科システムは、外科コンソールのカセット受け部、前記カセット受け部内に受けられように構成されたカセット、ならびに前記カセット受け部内に取り付けられた流体マニホールドを含む眼科外科システムであって、
前記流体マニホールドは、本体と前記本体上に形成された取り付け面を含む主マニホールド、前記取り付け面上に取り付けられた注入マニホールド、前記取り付け面上に取り付けられた吸引マニホールド、ならびに前記取り付け面上に取り付けられる弁マニホールドを含み、
前記主マニホールドは前記カセットと流体により連絡するように構成され、
前記注入マニホールドおよび前記吸引マニホールドは前記主マニホールドを介して前記カセットと流体により連絡する作用をし、かつ
前記弁マニホールドは、前記カセットと前記注入マニホールドおよび前記吸引マニホールドの各々との間の流体による連絡を制御する作用をする、ことを特徴とする。
【００１４】
上記課題を解決するための本発明による他の形態による眼科外科システムは、外科コンソールのカセット受け部内に取り付けられるように構成された眼科外科システムであって、
前記眼科外科システムは前記カセット受け部内に取り付けられるように構成された流体マニホールドを含み、
前記流体マニホールドは、本体と前記本体上に形成された取り付け面を含む主マニホールド、前記取り付け面上に取り付けられた注入マニホールド、前記取り付け面上に取り付けられた吸引マニホールド、および前記取り付け面上に取り付けられる弁マニホールドを含み、
前記主マニホールドは前記カセット受け部内に受けられたカセットと流体により連絡するように構成され、前記注入マニホールドおよび前記吸引マニホールドは前記主マニホールドを介して前記カセットと流体により連絡する作用をし、前記弁マニホールドは、前記カセットと前記注入マニホールドおよび前記吸引マニホールドの各々との間の流体による連絡を制御する作用をする、ことを特徴とする。
【００１５】
好適形態において、前記眼科外科システムは、前記吸引マニホールドおよび／または前記注入マニホールド上に取り付けられた少なくとも一つのアクティブ埋設装置を更に含む。
【００１６】
好適形態において、前記眼科外科システムは、前記吸引マニホールドおよび／または前記注入マニホールドおよび／または前記弁マニホールド上に取り付けられた少なくとも一つのアクティブ埋設装置を更に含む。
【００１７】
好適形態において、前記眼科外科システムは、前記吸引マニホールドおよび／または前記注入マニホールドおよび／または前記弁マニホールドおよび／または前記主マニホールド上に取り付けられた少なくとも一つのアクティブ埋設装置を更に含む。
【発明を実施するための最良の形態】
【００１９】
図１、２および３に最良に示されたように、本発明に使用できるカセット１０は、概ね、弁板１２、本体１４およびカバー１６を含む。弁板１２、本体１６およびカバー１６は適宜、比較的硬質の熱可塑性材料により形成されてよい。弁板１２は複数の開口１８を有し、かつエラストマー２２および２４により流体密に封止されるポンプチャンネル２０は複数の流体通路を形成する。ポート２６は、カセット１０が外科コンソール１００のカセット受け部１１０内に設置されたときのカセット１０の様々な洗浄および吸引（空気圧）機能のために、カセット１０と外科コンソール１００との間にコネクタを有する。
【００２０】
図４から最良に示されたように、流体マニホールド２００は、共通の主マニホールド２１０に取り付けられる複数の小組立体を含む。例えば、流体マニホールド２００は更に吸引マニホールド２２０、および／または注入／洗浄マニホールド２３０および／または挟持（pincher)マニホールド２４０を含む。図５に示されたように、例えば、マニホールド２１０、２２０、２３０および２４０の各々は自蔵式であり（図示例として示されたマニホールド２４０）、かつ必要な弁、調整機、センサ、または他のアクティブ埋設機械、電気または電子機械装置、例えばエアシリンダ２４５等の各マニホールドの主機能を遂行するために必要な装置を含む。マニホールド２２０および２３０は主マニホールド２１０を介してカセット１０と空気作用および流体作用により連絡する。かかる連絡は、挟持マニホールド２４０により制御される。主マニホールド２１０は、外科コンソール１００のカセット受け部１１０に取り付けられてよく、そのようにしてカセット１０は主マニホールド２１０に流体作用により連結される。主マニホールド２１０は更に複数のポンプ、流体レベルおよび／または流体流センサ（すべて図示されていない）を含んでよい。
【００２１】
かかる構造は、各小組立体の主機能の特定マニホールドへの分離を可能にし、それにより至便かつ迅速組立、トラブルシューティングおよび修繕を可能にする。更に、かかる構造は、各小組立体に種々の構成要素を連結するために従来技術において使用された種々の配管、および管連結部材を省略させ、かつ完成組立体の全体的寸法を縮小する。
【００２２】
上記記載は図解と解説を目的とするものである。当業者に理解されるように、本発明に対する種々の改良が本発明の範囲および精神から逸脱することなく可能である。
【図面の簡単な説明】
【００２３】
【図１】本発明の一体的空気マニホールドを使用できる外科コンソールの前方斜視図である。
【図２】本発明に使用できるカセットの前方斜視図である。
【図３】本発明に使用できるカセットの後方斜視図である。
【図４】本発明の一体的空気マニホールドの分解斜視図である。
【図５】本発明のバルブまたは挟持マニホールドの拡大斜視図であってマニホールド上に取り付けられた幾つかのアクティブ機械要素を示す。
【符号の説明】
【００２４】
１０    カセット
１２    弁板
１４    本体
１６    カバー
１８    開口
２２，２４    エラストマー
２６    ポート
１００    外科コンソール
１１０    カセット受け部
２１０，２２０，２３０，２４０    マニホールド
【図１】
0004782728.tif 000002
【図２】
0004782728.tif 000003
【図３】
0004782728.tif 000004
【図４】
0004782728.tif 000005
【図５】
0004782728.tif 000006